(57)【要約】【課題】  眼底写真ではない不正な画像をより簡単な構成で確実に検出可能な眼科用画像記録装置を提供する。【解決手段】  画像を生成する画像生成手段と、前記画像が生成された事を検出する画像生成検出手段と、該画像生成検出手段に基づき、前記画像が生成された際に画像情報を生成する画像情報生成手段と、生成された前記画像を時間順に複数記録する第一の取得手段と、生成された前記画像情報を時間順に複数記録する第二の取得手段とを備え、前記画像情報生成手段は、撮影制御中に画像情報を生成し、撮影制御外にはエラー情報を生成することを特徴とする。【選択図】  図１
2008119202.tif 000002
【特許請求の範囲】
【請求項１】
画像を生成する画像生成手段と、前記画像が生成された事を検出する画像生成検出手段と、該画像生成検出手段に基づき、前記画像が生成された際に画像に関連する情報を生成する画像情報生成手段と、生成された前記画像を時間順に複数記録する第一の取得手段と、生成された前記画像情報を時間順に複数記録する第二の取得手段とを備え、前記画像情報生成手段は、撮影制御中に画像情報を生成し、撮影制御外にはエラー情報を生成することを特徴とする眼科用画像記録装置。
【請求項２】
前記第一の取得手段に記録された前記画像と、前記第二の取得手段に記録された前記画像情報により不正な画像を検出する不正画像検出手段を有し、該不正画像検出手段は、前記第二の取得手段に記録された前記画像情報の中から前記エラー情報を検出し、前記エラー情報が生成された際の、前記第一の取得手段に記録された前記画像を前記不正な画像として検出することを特徴とする請求項１に記載の眼科用画像記録装置。
【請求項３】
前記不正画像検出手段により検出された前記不正な画像と前記エラー情報を削除することを特徴とする請求項２に記載の眼科用画像記録装置。
【発明の詳細な説明】
【技術分野】
【０００１】
本発明は、たとえば眼科医院や集団健診等で用いられる、被検眼の眼底を撮影する眼底カメラなどと接続された眼科用画像記録装置に関するものである。
【背景技術】
【０００２】
例えば、眼科用画像記録装置として、眼底カメラの画像ファイリングシステムが知られている。
【０００３】
近年ではデジタル化が容易なことから、眼底カメラの画像記録用に、一般に使われるデジタルカメラが用いられるようになってきている。特に一眼レフタイプのデジタルカメラが用いられるのは、眼底カメラからのリモート撮影が可能であることに加え、今までのフィルムタイプのカメラとの互換性が良く、解像度も眼科用の診断画像として十分なものとなってきたためである。
【０００４】
しかし、眼底カメラの画像記録用に一般に使われるデジタルカメラを用いると、通常は眼底カメラからのリモート撮影によって撮影が行われる。その際、デジタルカメラ本体に装備されている撮影用のスイッチによって撮影動作が行われた場合、眼底カメラで撮影されていない画像（眼底写真ではない不正な画像）が発生してしまう。また、操作者の意図しないノイズなどにより、画像の生成や転送などが行われてしまう場合も同様である。
【０００５】
この眼底画像ではない不正な画像を検出する方法が、特開２００５−０９５４５５および特開２００６−０２６２１５に記載されている。
【特許文献１】特開２００５−０９５４５５号公報
【特許文献２】特開２００６−０２６２１５号公報
【発明の開示】
【発明が解決しようとする課題】
【０００６】
本発明の目的は、眼底写真ではない不正な画像をより簡単な構成で確実に検出可能な眼科用画像記録装置を提供することである。
【課題を解決するための手段】
【０００７】
上記の課題を解決するために、本発明の眼科用画像記録装置は、画像を生成する画像生成手段と、前記画像が生成された事を検出する画像生成検出手段と、該画像生成検出手段に基づき、前記画像が生成された際に画像情報を生成する画像情報生成手段と、生成された前記画像を時間順に複数記録する第一の取得手段と、生成された前記画像情報を時間順に複数記録する第二の取得手段とを備え、前記画像情報生成手段は、撮影制御中に画像情報を生成し、撮影制御外にはエラー情報を生成することを特徴とする。
【発明の効果】
【０００８】
簡単な構成により、複数画像のうちエラー情報が生成された画像を確実に検出可能である。
【０００９】
さらに、エラー情報が生成された不正な画像を保存しない機能を付加することで、眼底写真以外の不必要な画像を保存することがなく保存容量の節約ができる。
【発明を実施するための最良の形態】
【００１０】
以下に、本発明の実施の形態を添付の図面に基づいて詳細に説明する。
【００１１】
図１は、眼科用画像記録装置の１つである散瞳型眼底カメラを用いたファイリングシステムの構成を示すものである。ファイリングシステム１１０は、散瞳型眼底カメラ１０１とファイル管理用のパーソナルコンピュータ１０２によって構成されている。この散瞳型眼底カメラ１０１には、内部にＣＣＤ等の受光センサーを持つことでデジタル画像を生成するデジタルカメラ１０１ａ、撮影開始スイッチ１０１ｂが構成されている。散瞳型眼底カメラ１０１からパーソナルコンピュータ１０２へは２通りの通信経路を用いており、通信経路１０７には、デジタルカメラ１０１ａより画像Ｓｉｇ１０４が出力される。通信経路１０８には、散瞳型眼底カメラ１０１から画像情報Ｓｉｇ１０３が出力され、また、パーソナルコンピュータ１０２からは、撮影動作が可能な状態になったことを示す撮影許可信号Ｓｉｇ１０５が出力される。
【００１２】
次に本実施形態の詳細部の構成について説明する。図２に示すように、散瞳型眼底カメラ１０１は、デジタルカメラ１０１ａ、撮影開始スイッチ１０１ｂ、散瞳型眼底カメラ１０１の制御を行う眼底カメラ制御部２０５、散瞳型眼底カメラ１０１の画像情報管理部２０６、デジタルカメラ１０１ａにて画像が生成されたことを検出する画像生成検出管理部２０７を有する。さらに、デジタルカメラ１０１ａは、ＣＣＤ等の受光センサー２０１、デジタルカメラ１０１ａの撮影スイッチ２０２、デジタルカメラ１０１ａの制御を行うデジタルカメラ制御部２０３、デジタルカメラ１０１ａの画像を生成する画像データ生成部２０４を有する。
【００１３】
また、パーソナルコンピュータ１０２には、画像データ生成部２０４から出力された画像データを保存する画像データ保存部２１１、画像情報管理部２０６から出力された画像情報を保存する画像情報保存部２１２、画像情報付き画像ファイルを保存するファイル保存部２１４、患者名や撮影場所など撮影条件情報を入力する撮影条件情報入力部２１５、またパーソナルコンピュータ１０２の制御を司る演算処理部２１６、また不正画像が認識された際に警告を発する警告発生手段２１７を有する。
【００１４】
以上説明したファイリングシステム１１０の構成において、患者選択から撮影を開始するまでの大まかな流れを説明する。まず撮影する患者が決まると、パーソナルコンピュータ１０２では、撮影条件情報入力部３１５を用いて患者の選択や患者情報の確認等が行われる。次に患者に対する情報が確定した時点で、この撮影を可能とする為、通信経路１０７を介して撮影許可信号Ｓｉｇ１０５を出力する。この撮影許可信号Ｓｉｇ１０５の出力によって、散瞳型眼底カメラ１０１の操作が可能になる。被検眼に対するアライメント操作やフォーカス操作が行われ、撮影部位が決定すると、操作者は散瞳型眼底カメラ１０１の撮影開始スイッチ１０１ｂを操作して眼底撮影を行ことができる。以上が患者選択から撮影を開始するまでのおおまかな流れであるが、次に撮影開始後の処理について、タイミングチャートを用いて本実施形態の詳細な説明を行う。
【００１５】
図３は、本システムの撮影及びデータ転送の詳細な処理手順を示すタイミングチャートである。まず操作者が撮影スイッチ１０１ｂを押すことにより、Ｔ３０１のタイミングで撮影スイッチ信号がＯＮ状態に変化する。散瞳型眼底カメラ１０１内部の眼底カメラ制御部２０５は、撮影スイッチ信号がＯＮ状態になったことを検出し、光路の切り換え等の処理を終了後、デジタルカメラ１０１ａに対してリモート撮影信号を送信する。次に、Ｔ３０２のタイミングで、デジタルカメラ１０１ａのシャッター信号がＯＮになったことを検出すると、図示しないストロボ照明を発光させる。これにより、被検眼像がデジタルカメラ１０１ａのセンサー２０１に結像され、デジタルカメラ１０１ａ内部の画像データ生成部２０４にて画像生成処理が開始される。
【００１６】
ここで、この画像生成処理が開始されるＴ３０３のタイミングでは、図３に示すシャッター信号がＯＦＦとなる。本実施形態では、このシャッター信号がＯＮからＯＦＦとなる状態を検出することにより、画像生成検出管理部２０７にて画像データ生成部２０４に画像データが生成されたことを検出可能となっている。
【００１７】
このように、Ｔ３０３のタイミングで、画像生成検出管理部２０７にて画像データ生成部２０４に画像データが生成されたことが検出されると、画像情報管理部２０６に画像データ生成信号を出力する。画像情報管理部２０６では、眼底カメラ制御部２０５よりリモート撮影信号が出力されている状態の時に、画像データ生成信号が入力されている。そのため、左右眼・撮影画角・撮影光量・タイマー情報などの画像情報の収集を行い画像情報管理部２０６に画像情報を作成し、画像情報Ｓｉｇ１０３として出力される。
【００１８】
また、デジタルカメラ１０１ａ内部では、画像データ生成部２０４にて画像生成処理が終了するＴ３０４のタイミングで、パーソナルコンピュータ１０２に対し、通信経路１０８を介して画像データＳｉｇ１０４の転送が開始される。パーソナルコンピュータ１０２は、散瞳型眼底カメラ１０１から出力された画像情報Ｓｉｇ１０３を画像情報保存部２１２に保存し、画像データＳｉｇ１０４を画像データ保存部２１１にそれぞれ保存する。その後、演算処理部２１６は、画像データ及び画像情報の両方の転送が完了したＴ３０５（１枚目の画像データの転送完了時点）のタイミングで、画像ファイルの作成を行う。以上が本システムの撮影及びデータ転送までの処理であるが、次に画像ファイル作成処理について図６を用いて説明を行う。
【００１９】
画像データ保存部２１１には、画像データＳｉｇ１０４による画像データ２１１１が１の領域に記録され、画像情報保存部２１２には、画像情報Ｓｉｇ１０３による画像情報２１２１が１の領域に記録されている。演算処理部２１６は、画像情報保存部２１２の１の領域に記録されている画像情報２１２１にエラー情報が無い場合、画像ファイル２１４１を作成する。具体的には、画像情報２１２１と、撮影条件情報入力部２１５に入力されている撮影条件情報と、画像データ保存部２１１の１の領域に記録されている画像データ２１１１を用いて、画像ファイル２１４１を作成する。そして画像ファイル保存部２１４に作成された画像ファイル２１４１を保存する。
【００２０】
ここで、図３に記載のＴ３１０のタイミングで撮影スイッチ信号がＯＮ状態に変化した場合は、以上説明した撮影、データ転送及び画像ファイル作成の処理と同様に行われることになるので、説明を省略する。
【００２１】
次に、図４は螢光撮影等の連続撮影を示すタイミングチャートである。図中のＴ４０１〜Ｔ４０４は、図３で説明したＴ３０１〜Ｔ３０４のタイミングと同様であるため、説明を省略する。図３と異なるのは、２枚目の撮影Ｔ４１０のタイミングが、Ｔ４０４から開始されるパーソナルコンピュータ１０２へ転送される画像データＳｉｇ１０４の転送が完了する前に行われている点である。このような操作に対しては、Ｔ４２０（２枚目の画像データの転送完了時点）のタイミングで、画像ファイルの作成を行う。以上、図４のように、画像データＳｉｇ１０４の転送が完了する前に次の撮影が行われた場合の画像ファイル作成処理について図７を用いて説明を行う。
【００２２】
画像データ保存部２１１には、１枚目の画像データＳｉｇ１０４による画像データ２１１１と２枚目の画像データ２１１２が２の領域に記録されている。また、画像情報保存部２１２には、１枚目の画像情報Ｓｉｇ１０３による画像情報２１２１と２枚目の画像情報２１２２が記録されている。このように、画像データ保存部２１１と画像情報保存部２１２には、画像データＳｉｇ１０４と画像情報Ｓｉｇ１０３が転送された順番に従って、それぞれ保存されている。演算処理部２１６は、画像情報保存部２１２の１の領域に記録されている画像情報２１２１にエラー情報が無い場合、画像情報２１２１と、撮影条件情報入力部２１５に入力されている撮影条件情報と、画像データ保存部２１１の１の領域に記録されている画像データ２１１１を用いて、画像ファイル２１４１を作成し、画像ファイル保存部２１４にファイルを保存する。
【００２３】
引き続き、画像情報保存部２１２の２の領域に記録されている画像情報２１２２にエラー情報が無い場合、画像情報２１２２と、撮影条件情報入力部２１５に入力されている撮影条件情報と、画像データ保存部２１１の２の領域に記録されている画像データ２１１２を用いて、画像ファイル２１４２を作成し、画像ファイル保存部２１４にファイルを保存する。
【００２４】
図５は、図４と同様に螢光撮影等の連続撮影を示しており、Ｔ５０５に示すタイミングで、外部からのノイズ混入等によりデジタルカメラに対し意図しないリモート撮影指示が出力された場合のタイミングチャートを示している。図中のＴ５０１〜Ｔ５０４は、図４で説明したＴ４０１〜Ｔ４０４のタイミングと同様であるため、説明を省略する。また、Ｔ５１０、Ｔ５１１についても、Ｔ４１０、Ｔ４１１と同様である。
【００２５】
図４と異なるのは、Ｔ５１０のタイミングの前に、Ｔ５０５に示すタイミングで、外部からのノイズ混入等によりデジタルカメラに対し意図しないリモート撮影指示が出力されたため、Ｔ５０６のタイミングで、画像生成検出管理部２０７にて画像データ生成部２０４に画像データが生成されたことが検出されると、画像情報管理部２０６に画像データ生成信号を出力する。
【００２６】
この時の画像情報管理部２０６の処理が、本実施形態の最も特徴的な制御になる。
【００２７】
画像情報管理部２０６に、画像データ生成信号が入力されると、眼底カメラ制御部２０５よりリモート撮影信号が出力されていない状態の時に、画像データ生成信号が入力されているので、左右眼・撮影画角・撮影光量・タイマー情報などの収集を行わず、画像情報管理部２０６に画像情報としてエラー情報を作成し、画像情報Ｓｉｇ１０３として出力する。つまり、Ｔ５０３およびＴ５１０のタイミングで出力される画像情報Ｓｉｇ１０３は、左右眼・撮影画角・撮影光量・タイマー情報であるのに対して、Ｔ５０６のタイミングで出力される画像情報Ｓｉｇ１０３は、エラー情報となっている。このような操作に対しては、Ｔ５２０（３枚目の画像データの転送完了時点）のタイミングで、画像ファイルの作成を行う。以上、図５のように、外部からのノイズ混入等によりデジタルカメラに対し意図しないリモート撮影指示が出力された場合の画像ファイルの作成処理について図８を用いて説明を行う。
【００２８】
画像データ保存部２１１には、１枚目の画像データＳｉｇ１０４による画像データ２１１１と、意図しないリモート撮影指示による２枚目の画像データ２１１２と、３枚目の画像データ２１１３が２の領域に記録されている。また、画像情報保存部２１２には、１枚目の画像情報Ｓｉｇ１０３による画像情報２１２１と、２枚目のエラー情報となっている画像情報２１２２と、３枚目の画像情報２１２３が記録されている。図７と同様に、画像データ保存部２１１と画像情報保存部２１２には、画像データＳｉｇ１０４と画像情報Ｓｉｇ１０３が転送された順番に従って、それぞれ保存されている。
【００２９】
第一に、演算処理部２１６は、画像情報保存部２１２の１の領域に記録されている画像情報２１２１がエラー情報ではないので、画像情報２１２１と、撮影条件情報入力部２１５に入力されている撮影条件情報と、画像データ保存部２１１の１の領域に記録されている画像データ２１１１を用いて、画像ファイル２１４１を作成し、画像ファイル保存部２１４にファイルを保存する。
【００３０】
第二に、演算処理部２１６は、画像情報保存部２１２の２の領域に記録されている画像情報２１２２がエラー情報であるので、画像データ２１１２は不正画像となり、画像ファイル２１４２は作成されず、画像ファイル保存部２１４に保存されない。この時、演算処理部２１６から不正画像発生信号が警告発生手段２１７に出力され、ブザー音等により警告を行う。
【００３１】
このように、Ｔ５０６のタイミングで生成された画像データは、前述した画像生成検出管理部２０７と画像情報管理部２０６の処理と、画像データ保存部２１１と画像情報保存部２１２に、画像データＳｉｇ１０４と画像情報Ｓｉｇ１０３が転送された順番に保存されていることにより不正画像を検出可能となっている。
【００３２】
第三に、画像情報保存部２１２の３の領域に記録されている画像情報２１２３がエラー情報ではないので、画像情報２１２３と、撮影条件情報入力部２１５に入力されている撮影条件情報と、画像データ保存部２１１の３の領域に記録されている画像データ２１１３を用いて、画像ファイル２１４３を作成し、画像ファイル保存部２１４にファイルを保存する。
【００３３】
ここでは、Ｔ５０５に示すタイミングで、外部からのノイズ混入等によりデジタルカメラに対し意図しないリモート撮影指示が出力された場合を例に説明したが、Ｔ５０５のタイミングで、操作者が誤ってデジタルカメラ１０１ａにある撮影スイッチ２０２を押してしまった場合も同様のタイミングチャートとなることは言うまでも無い。
【００３４】
また本実施例では、連続撮影時に本発明の効果の大きい散瞳型眼底カメラを用いたファイリングシステムとして説明してきたが、同様な構成をした眼底カメラにおいても応用できることは明らかである。
【図面の簡単な説明】
【００３５】
【図１】散瞳型眼底カメラを用いたファイリングシステムの構成図である。
【図２】本実施形態の詳細部の構成図である。
【図３】撮影動作のタイミングチャート図である。
【図４】撮影動作のタイミングチャート図である。
【図５】撮影動作のタイミングチャート図である。
【図６】画像ファイル作成処理を示した図である。
【図７】画像ファイル作成処理を示した図である。
【図８】画像ファイル作成処理を示した図である。
【符号の説明】
【００３６】
１０１  散瞳型眼底カメラ１０１
１０２  パーソナルコンピュータ
１１０  ファイリングシステム
【図１】
2008119202.tif 000003
【図２】
2008119202.tif 000004
【図３】
2008119202.tif 000005
【図４】
2008119202.tif 000006
【図５】
2008119202.tif 000007
【図６】
2008119202.tif 000008
【図７】
2008119202.tif 000009
【図８】
2008119202.tif 000010